(57)【要約】【課題】本発明は多機能吸水タオルキャップを開示した。【解決手段】本発明は多機能吸水タオルキャップを公示し、本体及び前記本体の内側に固定された吸水層を含み、前記本体の中には付勢機構  が設置され、前記付勢機構は前記本体の中に位置する付勢チャンバを含み、前記付勢チャンバの下端壁には前記付勢チャンバと前記吸水層とを連通した連通穴が五つ設置され、本装置は髪を乾燥すると同時に水が頭皮に通過し流れ落ちることを防げ、乾燥効果に響かなく、また、乾燥時には伝動により頭皮マッサージも行われ、より快適に使用できる。【選択図】図１
2020175137.tif 000002
【特許請求の範囲】
【請求項１】
多機能吸水タオルキャップであり、正面視で、本体及び前記本体の内側に固定された吸水層を含み、前記本体の中には付勢機構  が設置され、前記付勢機構は前記本体の中に位置する付勢チャンバを含み、前記付勢チャンバの下端壁には前記付勢チャンバと前記吸水層とを連通した連通穴が五つ設置され、前記連通穴の右側端壁には前記連通穴と連通したスプリング溝が設置され、前記スプリング溝の下端壁には伸縮スプリングが設置され、前記伸縮スプリングの上端には一端が前記連通穴に位置するリミット板が設置され、前記連通穴の中には前記付勢チャンバに位置し、かつ前記リミット板と固定的に連結した付勢ロッドが設置され、前記付勢ロッドの上端には付勢板が設置され、前記付勢チャンバの左側端壁の中には伝動機構が設置され、前記伝動機構は伝動チャンバ及び前記伝動チャンバの左端壁に固定された伝動モータを含み、前記伝動チャンバの下端壁の中には上に開口した移動チャンバが設置され、前記移動チャンバの中には上端が前記伝動チャンバの中に位置する移動板が二つ設置され、前記移動チャンバの前後両側端壁にはいずれも一端が前記移動板と固定的に連結した移動スプリングが固定的に連結され、前記吸水層の内側壁には吸水細線が固定的に連結され、前記吸水細線の前後両端は前記移動チャンバの右端壁を貫き、また後前二つの前記移動板とそれぞれ固定的に連結され、前記伝動モータの右端には右端が前記伝動チャンバの右端壁と回転可能に連結した伝動軸が伝動可能に連結され、前記伝動軸の右端にはカムがスライド可能に連結され、前記カムの中には左に開口した摩擦チャンバが設置され、吸水及び頭部マッサージを目的とすることを特徴とする多機能吸水タオルキャップ。
【請求項２】
前記付勢機構は前記付勢チャンバの左右端壁といずれも固定的に連結したスライドガイドロッドを含み、前記スライドガイドロッドには凸ブロックがスライド可能に連結され、前記凸ブロックの右端には右端が前記付勢チャンバの右端壁と固定的に連結した連結スプリングが二つ固定的に連結され、前記凸ブロックの左端には左端が前記伝動チャンバの中に位置するロープが固定的に連結され、前記付勢チャンバの中には下端が前記付勢板の上端面と固定的に連結した連結弾性板が設置され、前記凸ブロックの運動中に、前記連結弾性板によって次第に前記付勢ロッドを押し動かして昇降させ、マッサージを行うことを目的とすることを特徴とする請求項１に記載の多機能吸水タオルキャップ。
【請求項３】
前記伝動機構は伝動軸と固定的に連結した糸巻輪を含み、前記糸巻輪の上下両端の中にはいずれも昇降チャンバが設置され、前記昇降チャンバのうち前記伝動軸に近接した端壁には昇降スプリングが固定的に連結され、前記昇降スプリングのうち前記伝動軸から離れた側に伝動ロッドが固定的に連結され、前記伝動ロッドの右端は前記昇降チャンバの右端壁と前記摩擦チャンバの左端壁とを貫いて前記摩擦チャンバの中に位置し、前記伝動ロッドの左端のうち、前記伝動軸に離れた端面には一端が前記伝動チャンバの中に位置する昇降ブロックが固定的に連結され、前記ロープの左端と上側は前記昇降ブロックの上端とが固定的に連結され、前記凸ブロックの左右運動を連動させることを目的とすることを特徴とする請求項１に記載の多機能吸水タオルキャップ。
【発明の詳細な説明】
【技術分野】
【０００１】
本発明は日用品分野に関わるものであり、特に多機能吸水タオルキャップに関わるものである。
【背景技術】
【０００２】
現段階での吸水タオルキャップは使用時に、吸水タオルキャップの締め付けの悪さで、水滴が頭皮とヘアキャップの隙間から流れ下がり、  吸水効果に影響を与えかねなく、また、普通の吸水タオルキャップは吸水だけを目的とし、機能性が単一である。
【先行技術文献】
【特許文献】
【０００３】
【特許文献１】中国特許出願公開第102342613号明細書
【発明の概要】
【発明が解決しようとする課題】
【０００４】
本発明は吸水タオルキャップを提供し、既存技術にある上記の欠点を解消することを目的とする。
【課題を解決するための手段】
【０００５】
本発明の多機能吸水タオルキャップは、本体及び前記本体の内側に固定された吸水層を含み、前記本体の中には付勢機構  が設置され、前記付勢機構は前記本体の中に位置する付勢チャンバを含み、前記付勢チャンバの下端壁には前記付勢チャンバと前記吸水層とを連通した連通穴が五つ設置され、前記連通穴の右側端壁には前記連通穴と連通したスプリング溝が設置され、前記スプリング溝の下端壁には伸縮スプリングが設置され、前記伸縮スプリングの上端には一端が前記連通穴に位置するリミット板が設置され、前記連通穴の中には前記付勢チャンバに位置し、かつ前記リミット板と固定的に連結した付勢ロッドが設置され、前記付勢ロッドの上端には付勢板が設置され、前記付勢チャンバの左側端壁の中には伝動機構が設置され、前記伝動機構は伝動チャンバ及び前記伝動チャンバの左端壁に固定された伝動モータを含み、前記伝動チャンバの下端壁の中には上に開口した移動チャンバが設置され、前記移動チャンバの中には上端が前記伝動チャンバの中に位置する移動板が二つ設置され、前記移動チャンバの前後両側端壁にはいずれも一端が前記移動板と固定的に連結した移動スプリングが固定的に連結され、前記吸水層の内側壁には吸水細線が固定的に連結され、前記吸水細線の前後両端は前記移動チャンバの右端壁を貫き、また後前二つの前記移動板とそれぞれ固定的に連結され、前記伝動モータの右端には右端が前記伝動チャンバの右端壁と回転可能に連結した伝動軸が伝動可能に連結され、前記伝動軸の右端にはカムがスライド可能に連結され、前記カムの中には左に開口した摩擦チャンバが設置され、吸水及び頭部マッサージを目的とする。
【０００６】
好ましくは、前記付勢機構は前記付勢チャンバの左右端壁といずれも固定的に連結したスライドガイドロッドを含み、前記スライドガイドロッドには凸ブロックがスライド可能に連結され、前記凸ブロックの右端には右端が前記付勢チャンバの右端壁と固定的に連結した連結スプリングが二つ固定的に連結され、前記凸ブロックの左端には左端が前記伝動チャンバの中に位置するロープが固定的に連結され、前記付勢チャンバの中には下端が前記付勢板の上端面と固定的に連結した連結弾性板が設置され、前記凸ブロックの運動中に、前記連結弾性板によって次第に前記付勢ロッドを押し動かして昇降させ、マッサージを行うことを目的とする。
【０００７】
好ましくは、前記伝動機構は伝動軸と固定的に連結した糸巻輪を含み、前記糸巻輪の上下両端の中にはいずれも昇降チャンバが設置され、前記昇降チャンバのうち前記伝動軸に近接した端壁には昇降スプリングが固定的に連結され、前記昇降スプリングのうち前記伝動軸から離れた側に伝動ロッドが固定的に連結され、前記伝動ロッドの右端は前記昇降チャンバの右端壁と前記摩擦チャンバの左端壁とを貫いて前記摩擦チャンバの中に位置し、前記伝動ロッドの左端のうち、前記伝動軸に離れた端面には一端が前記伝動チャンバの中に位置する昇降ブロックが固定的に連結され、前記ロープの左端と上側は前記昇降ブロックの上端とが固定的に連結され、前記凸ブロックの左右運動を連動させることを目的とする。
【発明の効果】
【０００８】
本発明の有益的効果は：本装置はシンプルな構成と簡単な操作方法を有し、髪を乾燥すると同時に水が頭皮に通過し流れ落ちることを防げ、乾燥効果に響かなく、また、乾燥時には伝動により頭皮マッサージも行われ、より快適に使用できる。
【図面の簡単な説明】
【０００９】
説明をわかりやすくさせるため、下記の方向を以下のように規定する：図１は本発明装置の正面図であり、以下に述べる上下左右前後の方向と図１本体の投影関係の上下左右前後の方向とが一致である
【００１０】
【図１】図１は本発明の多機能吸水タオルキャップの全体断面の正面構成略図
【図２】図２は伝動機構の全体断面の正面拡大構成略図
【図３】図３は伝動機構の局部断面の左方向から見る拡大構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜３を参照し、本発明の多機能吸水タオルキャップは、本体１及び前記本体１の内側に固定された吸水層１８を含み、前記本体１の中には付勢機構２０  が設置され、前記付勢機構２０は前記本体１の中に位置する付勢チャンバ９を含み、前記付勢チャンバ９の下端壁には前記付勢チャンバ９と前記吸水層１８とを連通した連通穴１２が五つ設置され、前記連通穴１２の右側端壁には前記連通穴１２と連通したスプリング溝１６が設置され、前記スプリング溝１６の下端壁には伸縮スプリング１５が設置され、前記伸縮スプリング１５の上端には一端が前記連通穴１２に位置するリミット板１４が設置され、前記連通穴１２の中には前記付勢チャンバ９に位置し、かつ前記リミット板１４と固定的に連結した付勢ロッド１３が設置され、前記付勢ロッド１３の上端には付勢板１１が設置され、前記付勢チャンバ９の左側端壁の中には伝動機構４が設置され、前記伝動機構４は伝動チャンバ６及び前記伝動チャンバ６の左端壁に固定された伝動モータ５を含み、前記伝動チャンバ６の下端壁の中には上に開口した移動チャンバ２が設置され、前記移動チャンバ２の中には上端が前記伝動チャンバ６の中に位置する移動板３が二つ設置され、前記移動チャンバ２の前後両側端壁にはいずれも一端が前記移動板３と固定的に連結した移動スプリング３２が固定的に連結され、前記吸水層１８の内側壁には吸水細線１７が固定的に連結され、前記吸水細線１７の前後両端は前記移動チャンバ２の右端壁を貫き、また後前二つの前記移動板３とそれぞれ固定的に連結され、前記伝動モータ５の右端には右端が前記伝動チャンバ６の右端壁と回転可能に連結した伝動軸２３が伝動可能に連結され、前記伝動軸２３の右端にはカム２９がスライド可能に連結され、前記カム２９の中には左に開口した摩擦チャンバ３０が設置され、吸水及び頭部マッサージを目的とする。
【００１３】
好ましくは、前記付勢機構２０は前記付勢チャンバ９の左右端壁といずれも固定的に連結したスライドガイドロッド８を含み、前記スライドガイドロッド８には凸ブロック２１がスライド可能に連結され、前記凸ブロック２１の右端には右端が前記付勢チャンバ９の右端壁と固定的に連結した連結スプリング１９が二つ固定的に連結され、前記凸ブロック２１の左端には左端が前記伝動チャンバ６の中に位置するロープ７が固定的に連結され、前記付勢チャンバ９の中には下端が前記付勢板１１の上端面と固定的に連結した連結弾性板１０が設置され、前記凸ブロック２１の運動中に、前記連結弾性板１０によって次第に前記付勢ロッド１３を押し動かして昇降させ、マッサージを行うことを目的とする。
【００１４】
好ましくは、前記伝動機構４は伝動軸２３と固定的に連結した糸巻輪２２を含み、前記糸巻輪２２の上下両端の中にはいずれも昇降チャンバ２５が設置され、前記昇降チャンバ２５のうち前記伝動軸２３に近接した端壁には昇降スプリング２４が固定的に連結され、前記昇降スプリング２４のうち前記伝動軸２３から離れた側に伝動ロッド２６が固定的に連結され、前記伝動ロッド２６の右端は前記昇降チャンバ２５の右端壁と前記摩擦チャンバ３０の左端壁とを貫いて前記摩擦チャンバ３０の中に位置し、前記伝動ロッド２６の左端のうち、前記伝動軸２３に離れた端面には一端が前記伝動チャンバ６の中に位置する昇降ブロック３１が固定的に連結され、前記ロープ７の左端と上側は前記昇降ブロック３１の上端とが固定的に連結され、前記凸ブロック２１の左右運動を連動させることを目的とする。  
【００１５】
下記に図１〜３及び前記の多機能吸水タオルキャップの具体構成を交え、本発明の使用方法を詳しく説明する。
【００１６】
初期状態では、伝動ロッド２６の右端は摩擦チャンバ３０の端壁と摩擦により連結されている。
【００１７】
洗い終えた髪を吸水層１８の内部空間に入れた後、本体１をかぶり、この時、伝動モータ５は作動し、伝動軸２３を回転連動させ、そして糸巻輪２２を回転連動させ、昇降ブロック３１を回転連動させることで、ロープ７は糸巻輪２２に巻き付けられ、ロープ７が糸巻輪２２に一周巻かれたた後、昇降ブロック３１を昇降チャンバ２５の中に入れさせ、そして伝動ロッド２６を伝動軸２３に近づけ  ることで、伝動ロッド２６と摩擦チャンバ３０の端壁とを分離させ、カム２９は回転を停止し、また、カム２９がまだ回転している時には、二つの移動板２８を前後両側に移動連動させ、移動スプリング３２は圧縮され、かつ吸水細線１７は引き締められることで、吸水層１８と吸水細線１７を頭に引き締められる。
【００１８】
伝動モータ５の正逆回転につれ、糸巻輪２２は正逆回転し、そして凸ブロック２１をロープ７と連結スプリング１９との協同で左右運動させ、連結弾性板１０によって付勢板１１が下に運動連動し、さらに付勢ロッド１３を下に運動させることで、マッサージを開始させ、かつ伸縮スプリングは圧縮され、カム２１が離脱した後、伸縮スプリング１５によって付勢ロッド１３は復位し、装置を初期状態に戻す時には、連結スプリング１９を完全に復位させれば、装置はスプリングによって初期状態に戻る。
【００１９】
本発明の有益的効果は：本装置はシンプルな構成と簡単な操作方法を有し、髪を乾燥すると同時に水が頭皮に通過し流れ落ちることを防げ、乾燥効果に響かなく、また、乾燥時には伝動により頭皮マッサージも行われ、より快適に使用できる。
【００２０】
以上に述べたのはただ本発明の具体的な実施方式であり、本発明の保護範囲は以上の内容に限らず、すべての創造的な労働を通じず思いつきの改動と取替は本発明の保護範囲にカバーされるべき。よって、本発明の保護範囲は権利要求書が限定された保護範囲を標準とすべきである。
【図１】
2020175137.tif 000003
【図２】
2020175137.tif 000004
【図３】
2020175137.tif 000005
【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
多機能吸水タオルキャップであり、正面視で、本体及び前記本体の内側に固定された吸水層を含み、前記本体の中には付勢機構  が設置され、前記付勢機構は前記本体の中に位置する付勢チャンバを含み、前記付勢チャンバの下端壁には前記付勢チャンバと前記吸水層とを連通した連通穴が五つ設置され、前記連通穴の右側端壁には前記連通穴と連通したスプリング溝が設置され、前記スプリング溝の下端壁には伸縮スプリングが設置され、前記伸縮スプリングの上端には一端が前記連通穴に位置するリミット板が設置され、前記連通穴の中には前記付勢チャンバに位置し、かつ前記リミット板と固定的に連結した付勢ロッドが設置され、前記付勢ロッドの上端には付勢板が設置され、前記付勢チャンバの左側端壁の中には伝動機構が設置され、前記伝動機構は伝動チャンバ及び前記伝動チャンバの左端壁に固定された伝動モータを含み、前記伝動チャンバの下端壁の中には上に開口した移動チャンバが設置され、前記伝動モータの右端には前記伝動チャンバの右端壁と回転可能に連結された伝動軸が伝動できるように連結され、前記伝動チャンバの右端にはカムがスライドできるように連結され、前記移動チャンバの中には前記カムの前後両側に位置する二つの移動板が設けられ、前記移動板の上端が前記伝動チャンバの中に位置し、かつ前記移動板が前記カムと接触しており、前記移動チャンバの前後両側の端壁にはいずれも移動スプリングが固定的に連結され、前記移動スプリングの一端が前記移動板と固定的に連結され、前記吸水層の内側壁には吸水細線が固定的に連結され、前記吸水細線の前後両端が前記移動チャンバの右端壁を貫通し且つ前後二つの前記移動板と固定的に連結され、前記カムの中には左に開口した摩擦チャンバが設置され、吸水及び頭部マッサージを目的とし、
前記付勢機構は前記付勢チャンバの左右端壁といずれも固定的に連結したスライドガイドロッドを含み、前記スライドガイドロッドには凸ブロックがスライド可能に連結され、前記凸ブロックの右端には右端が前記付勢チャンバの右端壁と固定的に連結した連結スプリングが二つ固定的に連結され、前記凸ブロックの左端には糸巻輪に固定されたロープが固定的に連結され、前記ロープの左端が前記伝動チャンバの中に位置し、前記付勢チャンバの中には下端が前記付勢板の上端面と固定的に連結した連結弾性板が設置され、前記付勢機構の作用は、前記糸巻輪を回転させて前記ロープを緩めることによって前記凸ブロックを移動させ、前記凸ブロックが移動しているときに前記連結弾性板によって次第に前記付勢ロッドを押し動かして昇降させ、マッサージを行うことであり、
前記伝動機構は前記伝動軸と固定的に連結した前記糸巻輪を含み、前記糸巻輪の上下両端の中にはいずれも昇降チャンバが設置され、前記昇降チャンバのうち前記伝動軸に近接した端壁には昇降スプリングが固定的に連結され、前記昇降スプリングのうち前記伝動軸から離れた側に伝動ロッドが固定的に連結され、前記伝動ロッドの右端は前記昇降チャンバの右端壁と前記摩擦チャンバの左端壁とを貫いて前記摩擦チャンバの中に位置し、前記伝動ロッドの左端のうち、前記伝動軸に離れた端面には一端が前記伝動チャンバの中に位置する昇降ブロックが固定的に連結され、前記ロープの左端と上側の前記昇降ブロックの上端とが固定的に連結され、前記凸ブロックの左右運動を連動させることを目的とすることを特徴とする多機能吸水タオルキャップ。
【手続補正２】
【補正対象書類名】明細書
【補正対象項目名】全文
【補正方法】変更
【補正の内容】
【発明の詳細な説明】
【技術分野】
【０００１】
本発明は日用品分野に関わるものであり、特に多機能吸水タオルキャップに関わるものである。
【背景技術】
【０００２】
現段階での吸水タオルキャップは使用時に、吸水タオルキャップの締め付けの悪さで、水滴が頭皮とヘアキャップの隙間から流れ下がり、  吸水効果に影響を与えかねなく、また、普通の吸水タオルキャップは吸水だけを目的とし、機能性が単一である。
【先行技術文献】
【特許文献】
【０００３】
【特許文献１】中国特許出願公開第１０２３４２６１３号明細書
【発明の概要】
【発明が解決しようとする課題】
【０００４】
本発明は吸水タオルキャップを提供し、既存技術にある上記の欠点を解消することを目的とする。
【課題を解決するための手段】
【０００５】
本発明の多機能吸水タオルキャップは、本体及び前記本体の内側に固定された吸水層を含み、前記本体の中には付勢機構  が設置され、前記付勢機構は前記本体の中に位置する付勢チャンバを含み、前記付勢チャンバの下端壁には前記付勢チャンバと前記吸水層とを連通した連通穴が五つ設置され、前記連通穴の右側端壁には前記連通穴と連通したスプリング溝が設置され、前記スプリング溝の下端壁には伸縮スプリングが設置され、前記伸縮スプリングの上端には一端が前記連通穴に位置するリミット板が設置され、前記連通穴の中には前記付勢チャンバに位置し、かつ前記リミット板と固定的に連結した付勢ロッドが設置され、前記付勢ロッドの上端には付勢板が設置され、前記付勢チャンバの左側端壁の中には伝動機構が設置され、前記伝動機構は伝動チャンバ及び前記伝動チャンバの左端壁に固定された伝動モータを含み、前記伝動チャンバの下端壁の中には上に開口した移動チャンバが設置され、前記伝動モータの右端には前記伝動チャンバの右端壁と回転可能に連結された伝動軸が伝動できるように連結され、前記伝動チャンバの右端にはカムがスライドできるように連結され、前記移動チャンバの中には前記カムの前後両側に位置する二つの移動板が設けられ、前記移動板の上端が前記伝動チャンバの中に位置し、かつ前記移動板が前記カムと接触しており、前記移動チャンバの前後両側の端壁にはいずれも移動スプリングが固定的に連結され、前記移動スプリングの一端が前記移動板と固定的に連結され、前記吸水層の内側壁には吸水細線が固定的に連結され、前記吸水細線の前後両端が前記移動チャンバの右端壁を貫通し且つ前後二つの前記移動板と固定的に連結され、前記カムの中には左に開口した摩擦チャンバが設置され、吸水及び頭部マッサージを目的とする。
【０００６】
好ましくは、前記付勢機構は前記付勢チャンバの左右端壁といずれも固定的に連結したスライドガイドロッドを含み、前記スライドガイドロッドには凸ブロックがスライド可能に連結され、前記凸ブロックの右端には右端が前記付勢チャンバの右端壁と固定的に連結した連結スプリングが二つ固定的に連結され、前記凸ブロックの左端には糸巻輪に固定されたロープが固定的に連結され、前記ロープの左端が前記伝動チャンバの中に位置し、前記付勢チャンバの中には下端が前記付勢板の上端面と固定的に連結した連結弾性板が設置され、前記凸ブロックの運動中に、前記付勢機構の作用は、前記糸巻輪を回転させて前記ロープを緩めることによって前記凸ブロックを移動させ、前記凸ブロックが移動しているときに前記連結弾性板によって次第に前記付勢ロッドを押し動かして昇降させ、マッサージを行うことである。
【０００７】
好ましくは、前記伝動機構は前記伝動軸と固定的に連結した前記糸巻輪を含み、前記糸巻輪の上下両端の中にはいずれも昇降チャンバが設置され、前記昇降チャンバのうち前記伝動軸に近接した端壁には昇降スプリングが固定的に連結され、前記昇降スプリングのうち前記伝動軸から離れた側に伝動ロッドが固定的に連結され、前記伝動ロッドの右端は前記昇降チャンバの右端壁と前記摩擦チャンバの左端壁とを貫いて前記摩擦チャンバの中に位置し、前記伝動ロッドの左端のうち、前記伝動軸に離れた端面には一端が前記伝動チャンバの中に位置する昇降ブロックが固定的に連結され、前記ロープの左端と上側の前記昇降ブロックの上端とが固定的に連結され、前記凸ブロックの左右運動を連動させることを目的とする。
【発明の効果】
【０００８】
本発明の有益的効果は：本装置はシンプルな構成と簡単な操作方法を有し、髪を乾燥すると同時に水が頭皮に通過し流れ落ちることを防げ、乾燥効果に響かなく、また、乾燥時には伝動により頭皮マッサージも行われ、より快適に使用できる。
【図面の簡単な説明】
【０００９】
説明をわかりやすくさせるため、下記の方向を以下のように規定する：図１は本発明装置の正面図であり、以下に述べる上下左右前後の方向と図１本体の投影関係の上下左右前後の方向とが一致である
【００１０】
【図１】図１は本発明の多機能吸水タオルキャップの全体断面の正面構成略図
【図２】図２は伝動機構の全体断面の正面拡大構成略図
【図３】図３は伝動機構の局部断面の左方向から見る拡大構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜３を参照し、本発明の多機能吸水タオルキャップは、本体１及び前記本体１の内側に固定された吸水層１８を含み、前記本体１の中には付勢機構２０  が設置され、前記付勢機構２０は前記本体１の中に位置する付勢チャンバ９を含み、前記付勢チャンバ９の下端壁には前記付勢チャンバ９と前記吸水層１８とを連通した連通穴１２が五つ設置され、前記連通穴１２の右側端壁には前記連通穴１２と連通したスプリング溝１６が設置され、前記スプリング溝１６の下端壁には伸縮スプリング１５が設置され、前記伸縮スプリング１５の上端には一端が前記連通穴１２に位置するリミット板１４が設置され、前記連通穴１２の中には前記付勢チャンバ９に位置し、かつ前記リミット板１４と固定的に連結した付勢ロッド１３が設置され、前記付勢ロッド１３の上端には付勢板１１が設置され、前記付勢チャンバ９の左側端壁の中には伝動機構４が設置され、前記伝動機構４は伝動チャンバ６及び前記伝動チャンバ６の左端壁に固定された伝動モータ５を含み、前記伝動チャンバ６の下端壁の中には上に開口した移動チャンバ２が設置され、前記伝動モータ５の右端には前記伝動チャンバ６の右端壁と回転可能に連結された伝動軸２３が伝動できるように連結され、前記伝動チャンバ６の右端にはカム２９がスライドできるように連結され、前記移動チャンバ２の中には前記カム２９の前後両側に位置する二つの移動板３が設けられ、前記移動板３の上端が前記伝動チャンバ６の中に位置し、かつ前記移動板３が前記カム２９と接触しており、前記移動チャンバ２の前後両側の端壁にはいずれも移動スプリング３２が固定的に連結され、前記移動スプリング３２の一端が前記移動板３と固定的に連結され、前記吸水層１８の内側壁には吸水細線１７が固定的に連結され、前記吸水細線１７の前後両端が前記移動チャンバ２の右端壁を貫通し且つ前後二つの前記移動板３と固定的に連結され、前記カム２９の中には左に開口した摩擦チャンバ３０が設置され、吸水及び頭部マッサージを目的とする。
【００１３】
好ましくは、前記付勢機構２０は前記付勢チャンバ９の左右端壁といずれも固定的に連結したスライドガイドロッド８を含み、前記スライドガイドロッド８には凸ブロック２１がスライド可能に連結され、前記凸ブロック２１の右端には右端が前記付勢チャンバ９の右端壁と固定的に連結した連結スプリング１９が二つ固定的に連結され、前記凸ブロック２１の左端には糸巻輪２２に固定されたロープ７が固定的に連結され、前記ロープ７の左端が前記伝動チャンバ６の中に位置し、前記付勢チャンバ９の中には下端が前記付勢板１１の上端面と固定的に連結した連結弾性板１０が設置され、前記付勢機構２０の作用は、前記糸巻輪２２を回転させて前記ロープ７を緩めることによって前記凸ブロック２１を移動させ、前記凸ブロック２１が移動しているときに前記連結弾性板１０によって次第に前記付勢ロッド１３を押し動かして昇降させ、マッサージを行うことである。
【００１４】
好ましくは、前記伝動機構４は前記伝動軸２３と固定的に連結した前記糸巻輪２２を含み、前記糸巻輪２２の上下両端の中にはいずれも昇降チャンバ２５が設置され、前記昇降チャンバ２５のうち前記伝動軸２３に近接した端壁には昇降スプリング２４が固定的に連結され、前記昇降スプリング２４のうち前記伝動軸２３から離れた側に伝動ロッド２６が固定的に連結され、前記伝動ロッド２６の右端は前記昇降チャンバ２５の右端壁と前記摩擦チャンバ３０の左端壁とを貫いて前記摩擦チャンバ３０の中に位置し、前記伝動ロッド２６の左端のうち、前記伝動軸２３に離れた端面には一端が前記伝動チャンバ６の中に位置する昇降ブロック３１が固定的に連結され、前記ロープ７の左端と上側の前記昇降ブロック３１の上端とが固定的に連結され、前記凸ブロック２１の左右運動を連動させることを目的とする。  
【００１５】
下記に図１〜３及び前記の多機能吸水タオルキャップの具体構成を交え、本発明の使用方法を詳しく説明する。
【００１６】
初期状態では、伝動ロッド２６の右端は摩擦チャンバ３０の端壁と摩擦により連結されている。
【００１７】
洗い終えた髪を吸水層１８の内部空間に入れた後、本体１をかぶり、この時、伝動モータ５は作動し、伝動軸２３を回転連動させ、そして糸巻輪２２を回転連動させ、昇降ブロック３１を回転連動させることで、ロープ７は糸巻輪２２に巻き付けられ、ロープ７が糸巻輪２２に一周巻かれたた後、昇降ブロック３１を昇降チャンバ２５の中に入れさせ、そして伝動ロッド２６を伝動軸２３に近づけ  ることで、伝動ロッド２６と摩擦チャンバ３０の端壁とを分離させ、カム２９は回転を停止し、また、カム２９がまだ回転している時には、二つの移動板２８を前後両側に移動連動させ、移動スプリング３２は圧縮され、かつ吸水細線１７は引き締められることで、吸水層１８と吸水細線１７を頭に引き締められる。
【００１８】
伝動モータ５の正逆回転につれ、糸巻輪２２は正逆回転し、そして凸ブロック２１をロープ７と連結スプリング１９との協同で左右運動させ、連結弾性板１０によって付勢板１１が下に運動連動し、さらに付勢ロッド１３を下に運動させることで、マッサージを開始させ、かつ伸縮スプリングは圧縮され、カム２１が離脱した後、伸縮スプリング１５によって付勢ロッド１３は復位し、装置を初期状態に戻す時には、連結スプリング１９を完全に復位させれば、装置はスプリングによって初期状態に戻る。
【００１９】
本発明の有益的効果は：本装置はシンプルな構成と簡単な操作方法を有し、髪を乾燥すると同時に水が頭皮に通過し流れ落ちることを防げ、乾燥効果に響かなく、また、乾燥時には伝動により頭皮マッサージも行われ、より快適に使用できる。
【００２０】
以上に述べたのはただ本発明の具体的な実施方式であり、本発明の保護範囲は以上の内容に限らず、すべての創造的な労働を通じず思いつきの改動と取替は本発明の保護範囲にカバーされるべき。よって、本発明の保護範囲は権利要求書が限定された保護範囲を標準とすべきである。
【手続補正書】
【提出日】令和2年5月26日(2020.5.26)
【手続補正１】
【補正対象書類名】特許請求の範囲
【補正対象項目名】全文
【補正方法】変更
【補正の内容】
【特許請求の範囲】
【請求項１】
多機能吸水タオルキャップであり、正面視で、本体及び前記本体の内側に固定された吸水層を含み、前記本体の中には付勢機構  が設置され、前記付勢機構は前記本体の中に位置する付勢チャンバを含み、前記付勢チャンバの下端壁には前記付勢チャンバと前記吸水層とを連通した連通穴が五つ設置され、前記連通穴の右側端壁には前記連通穴と連通したスプリング溝が設置され、前記スプリング溝の下端壁には伸縮スプリングが設置され、前記伸縮スプリングの上端には一端が前記連通穴に位置するリミット板が設置され、前記連通穴の中には前記付勢チャンバに位置し、かつ前記リミット板と固定的に連結した付勢ロッドが設置され、前記付勢ロッドの上端には付勢板が設置され、前記付勢チャンバの左側端壁の中には伝動機構が設置され、前記伝動機構は伝動チャンバ及び前記伝動チャンバの左端壁に固定された伝動モータを含み、前記伝動チャンバの下端壁の中には上に開口した移動チャンバが設置され、前記伝動モータの右端には前記伝動チャンバの右端壁と回転可能に連結された伝動軸が伝動できるように連結され、前記伝動軸の右端にはカムがスライドできるように連結され、前記移動チャンバの中には前記カムの前後両側に位置する二つの移動板が設けられ、前記移動板の上端が前記伝動チャンバの中に位置し、かつ前記移動板が前記カムと接触しており、前記移動チャンバの前後両側の端壁にはいずれも移動スプリングが固定的に連結され、前記移動スプリングの一端が前記移動板と固定的に連結され、前記吸水層の内側壁には吸水細線が固定的に連結され、前記吸水細線の前後両端が前記移動チャンバの右端壁を貫通し且つ前後二つの前記移動板と固定的に連結され、前記カムの中には左に開口した摩擦チャンバが設置され、吸水及び頭部マッサージを目的とし、
前記付勢機構は前記付勢チャンバの左右端壁といずれも固定的に連結したスライドガイドロッドを含み、前記スライドガイドロッドには凸ブロックがスライド可能に連結され、前記凸ブロックの右端には右端が前記付勢チャンバの右端壁と固定的に連結した連結スプリングが二つ固定的に連結され、前記凸ブロックの左端には糸巻輪に固定されたロープが固定的に連結され、前記ロープの左端が前記伝動チャンバの中に位置し、前記付勢チャンバの中には下端が前記付勢板の上端面と固定的に連結した連結弾性板が設置され、前記付勢機構の作用は、前記糸巻輪を回転させて前記ロープを緩めることによって前記凸ブロックを移動させ、前記凸ブロックが移動しているときに前記連結弾性板によって次第に前記付勢ロッドを押し動かして昇降させ、マッサージを行うことであり、
前記伝動機構は前記伝動軸と固定的に連結した前記糸巻輪を含み、前記糸巻輪の上下両端の中にはいずれも昇降チャンバが設置され、前記昇降チャンバのうち前記伝動軸に近接した端壁には昇降スプリングが固定的に連結され、前記昇降スプリングのうち前記伝動軸から離れた側に伝動ロッドが固定的に連結され、前記伝動ロッドの右端は前記昇降チャンバの右端壁と前記摩擦チャンバの左端壁とを貫いて前記摩擦チャンバの中に位置し、前記伝動ロッドの左端のうち、前記伝動軸に離れた端面には一端が前記伝動チャンバの中に位置する昇降ブロックが固定的に連結され、前記ロープの左端と上側の前記昇降ブロックの上端とが固定的に連結され、前記凸ブロックの左右運動を連動させることを目的とすることを特徴とする多機能吸水タオルキャップ。
【手続補正２】
【補正対象書類名】明細書
【補正対象項目名】全文
【補正方法】変更
【補正の内容】
【発明の詳細な説明】
【技術分野】
【０００１】
本発明は日用品分野に関わるものであり、特に多機能吸水タオルキャップに関わるものである。
【背景技術】
【０００２】
現段階での吸水タオルキャップは使用時に、吸水タオルキャップの締め付けの悪さで、水滴が頭皮とヘアキャップの隙間から流れ下がり、  吸水効果に影響を与えかねなく、また、普通の吸水タオルキャップは吸水だけを目的とし、機能性が単一である。
【先行技術文献】
【特許文献】
【０００３】
【特許文献１】中国特許出願公開第１０２３４２６１３号明細書
【発明の概要】
【発明が解決しようとする課題】
【０００４】
本発明は吸水タオルキャップを提供し、既存技術にある上記の欠点を解消することを目的とする。
【課題を解決するための手段】
【０００５】
本発明の多機能吸水タオルキャップは、本体及び前記本体の内側に固定された吸水層を含み、前記本体の中には付勢機構  が設置され、前記付勢機構は前記本体の中に位置する付勢チャンバを含み、前記付勢チャンバの下端壁には前記付勢チャンバと前記吸水層とを連通した連通穴が五つ設置され、前記連通穴の右側端壁には前記連通穴と連通したスプリング溝が設置され、前記スプリング溝の下端壁には伸縮スプリングが設置され、前記伸縮スプリングの上端には一端が前記連通穴に位置するリミット板が設置され、前記連通穴の中には前記付勢チャンバに位置し、かつ前記リミット板と固定的に連結した付勢ロッドが設置され、前記付勢ロッドの上端には付勢板が設置され、前記付勢チャンバの左側端壁の中には伝動機構が設置され、前記伝動機構は伝動チャンバ及び前記伝動チャンバの左端壁に固定された伝動モータを含み、前記伝動チャンバの下端壁の中には上に開口した移動チャンバが設置され、前記伝動モータの右端には前記伝動チャンバの右端壁と回転可能に連結された伝動軸が伝動できるように連結され、前記伝動軸の右端にはカムがスライドできるように連結され、前記移動チャンバの中には前記カムの前後両側に位置する二つの移動板が設けられ、前記移動板の上端が前記伝動チャンバの中に位置し、かつ前記移動板が前記カムと接触しており、前記移動チャンバの前後両側の端壁にはいずれも移動スプリングが固定的に連結され、前記移動スプリングの一端が前記移動板と固定的に連結され、前記吸水層の内側壁には吸水細線が固定的に連結され、前記吸水細線の前後両端が前記移動チャンバの右端壁を貫通し且つ前後二つの前記移動板と固定的に連結され、前記カムの中には左に開口した摩擦チャンバが設置され、吸水及び頭部マッサージを目的とする。
【０００６】
好ましくは、前記付勢機構は前記付勢チャンバの左右端壁といずれも固定的に連結したスライドガイドロッドを含み、前記スライドガイドロッドには凸ブロックがスライド可能に連結され、前記凸ブロックの右端には右端が前記付勢チャンバの右端壁と固定的に連結した連結スプリングが二つ固定的に連結され、前記凸ブロックの左端には糸巻輪に固定されたロープが固定的に連結され、前記ロープの左端が前記伝動チャンバの中に位置し、前記付勢チャンバの中には下端が前記付勢板の上端面と固定的に連結した連結弾性板が設置され、前記凸ブロックの運動中に、前記付勢機構の作用は、前記糸巻輪を回転させて前記ロープを緩めることによって前記凸ブロックを移動させ、前記凸ブロックが移動しているときに前記連結弾性板によって次第に前記付勢ロッドを押し動かして昇降させ、マッサージを行うことである。
【０００７】
好ましくは、前記伝動機構は前記伝動軸と固定的に連結した前記糸巻輪を含み、前記糸巻輪の上下両端の中にはいずれも昇降チャンバが設置され、前記昇降チャンバのうち前記伝動軸に近接した端壁には昇降スプリングが固定的に連結され、前記昇降スプリングのうち前記伝動軸から離れた側に伝動ロッドが固定的に連結され、前記伝動ロッドの右端は前記昇降チャンバの右端壁と前記摩擦チャンバの左端壁とを貫いて前記摩擦チャンバの中に位置し、前記伝動ロッドの左端のうち、前記伝動軸に離れた端面には一端が前記伝動チャンバの中に位置する昇降ブロックが固定的に連結され、前記ロープの左端と上側の前記昇降ブロックの上端とが固定的に連結され、前記凸ブロックの左右運動を連動させることを目的とする。
【発明の効果】
【０００８】
本発明の有益的効果は：本装置はシンプルな構成と簡単な操作方法を有し、髪を乾燥すると同時に水が頭皮に通過し流れ落ちることを防げ、乾燥効果に響かなく、また、乾燥時には伝動により頭皮マッサージも行われ、より快適に使用できる。
【図面の簡単な説明】
【０００９】
説明をわかりやすくさせるため、下記の方向を以下のように規定する：図１は本発明装置の正面図であり、以下に述べる上下左右前後の方向と図１本体の投影関係の上下左右前後の方向とが一致である
【００１０】
【図１】図１は本発明の多機能吸水タオルキャップの全体断面の正面構成略図
【図２】図２は伝動機構の全体断面の正面拡大構成略図
【図３】図３は伝動機構の局部断面の左方向から見る拡大構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜３を参照し、本発明の多機能吸水タオルキャップは、本体１及び前記本体１の内側に固定された吸水層１８を含み、前記本体１の中には付勢機構２０  が設置され、前記付勢機構２０は前記本体１の中に位置する付勢チャンバ９を含み、前記付勢チャンバ９の下端壁には前記付勢チャンバ９と前記吸水層１８とを連通した連通穴１２が五つ設置され、前記連通穴１２の右側端壁には前記連通穴１２と連通したスプリング溝１６が設置され、前記スプリング溝１６の下端壁には伸縮スプリング１５が設置され、前記伸縮スプリング１５の上端には一端が前記連通穴１２に位置するリミット板１４が設置され、前記連通穴１２の中には前記付勢チャンバ９に位置し、かつ前記リミット板１４と固定的に連結した付勢ロッド１３が設置され、前記付勢ロッド１３の上端には付勢板１１が設置され、前記付勢チャンバ９の左側端壁の中には伝動機構４が設置され、前記伝動機構４は伝動チャンバ６及び前記伝動チャンバ６の左端壁に固定された伝動モータ５を含み、前記伝動チャンバ６の下端壁の中には上に開口した移動チャンバ２が設置され、前記伝動モータ５の右端には前記伝動チャンバ６の右端壁と回転可能に連結された伝動軸２３が伝動できるように連結され、前記伝動軸２３の右端にはカム２９がスライドできるように連結され、前記移動チャンバ２の中には前記カム２９の前後両側に位置する二つの移動板３が設けられ、前記移動板３の上端が前記伝動チャンバ６の中に位置し、かつ前記移動板３が前記カム２９と接触しており、前記移動チャンバ２の前後両側の端壁にはいずれも移動スプリング３２が固定的に連結され、前記移動スプリング３２の一端が前記移動板３と固定的に連結され、前記吸水層１８の内側壁には吸水細線１７が固定的に連結され、前記吸水細線１７の前後両端が前記移動チャンバ２の右端壁を貫通し且つ前後二つの前記移動板３と固定的に連結され、前記カム２９の中には左に開口した摩擦チャンバ３０が設置され、吸水及び頭部マッサージを目的とする。
【００１３】
好ましくは、前記付勢機構２０は前記付勢チャンバ９の左右端壁といずれも固定的に連結したスライドガイドロッド８を含み、前記スライドガイドロッド８には凸ブロック２１がスライド可能に連結され、前記凸ブロック２１の右端には右端が前記付勢チャンバ９の右端壁と固定的に連結した連結スプリング１９が二つ固定的に連結され、前記凸ブロック２１の左端には糸巻輪２２に固定されたロープ７が固定的に連結され、前記ロープ７の左端が前記伝動チャンバ６の中に位置し、前記付勢チャンバ９の中には下端が前記付勢板１１の上端面と固定的に連結した連結弾性板１０が設置され、前記付勢機構２０の作用は、前記糸巻輪２２を回転させて前記ロープ７を緩めることによって前記凸ブロック２１を移動させ、前記凸ブロック２１が移動しているときに前記連結弾性板１０によって次第に前記付勢ロッド１３を押し動かして昇降させ、マッサージを行うことである。
【００１４】
好ましくは、前記伝動機構４は前記伝動軸２３と固定的に連結した前記糸巻輪２２を含み、前記糸巻輪２２の上下両端の中にはいずれも昇降チャンバ２５が設置され、前記昇降チャンバ２５のうち前記伝動軸２３に近接した端壁には昇降スプリング２４が固定的に連結され、前記昇降スプリング２４のうち前記伝動軸２３から離れた側に伝動ロッド２６が固定的に連結され、前記伝動ロッド２６の右端は前記昇降チャンバ２５の右端壁と前記摩擦チャンバ３０の左端壁とを貫いて前記摩擦チャンバ３０の中に位置し、前記伝動ロッド２６の左端のうち、前記伝動軸２３に離れた端面には一端が前記伝動チャンバ６の中に位置する昇降ブロック３１が固定的に連結され、前記ロープ７の左端と上側の前記昇降ブロック３１の上端とが固定的に連結され、前記凸ブロック２１の左右運動を連動させることを目的とする。  
【００１５】
下記に図１〜３及び前記の多機能吸水タオルキャップの具体構成を交え、本発明の使用方法を詳しく説明する。
【００１６】
初期状態では、伝動ロッド２６の右端は摩擦チャンバ３０の端壁と摩擦により連結されている。
【００１７】
洗い終えた髪を吸水層１８の内部空間に入れた後、本体１をかぶり、この時、伝動モータ５は作動し、伝動軸２３を回転連動させ、そして糸巻輪２２を回転連動させ、昇降ブロック３１を回転連動させることで、ロープ７は糸巻輪２２に巻き付けられ、ロープ７が糸巻輪２２に一周巻かれたた後、昇降ブロック３１を昇降チャンバ２５の中に入れさせ、そして伝動ロッド２６を伝動軸２３に近づけ  ることで、伝動ロッド２６と摩擦チャンバ３０の端壁とを分離させ、カム２９は回転を停止し、また、カム２９がまだ回転している時には、二つの移動板２８を前後両側に移動連動させ、移動スプリング３２は圧縮され、かつ吸水細線１７は引き締められることで、吸水層１８と吸水細線１７を頭に引き締められる。
【００１８】
伝動モータ５の正逆回転につれ、糸巻輪２２は正逆回転し、そして凸ブロック２１をロープ７と連結スプリング１９との協同で左右運動させ、連結弾性板１０によって付勢板１１が下に運動連動し、さらに付勢ロッド１３を下に運動させることで、マッサージを開始させ、かつ伸縮スプリングは圧縮され、カム２１が離脱した後、伸縮スプリング１５によって付勢ロッド１３は復位し、装置を初期状態に戻す時には、連結スプリング１９を完全に復位させれば、装置はスプリングによって初期状態に戻る。
【００１９】
本発明の有益的効果は：本装置はシンプルな構成と簡単な操作方法を有し、髪を乾燥すると同時に水が頭皮に通過し流れ落ちることを防げ、乾燥効果に響かなく、また、乾燥時には伝動により頭皮マッサージも行われ、より快適に使用できる。
【００２０】
以上に述べたのはただ本発明の具体的な実施方式であり、本発明の保護範囲は以上の内容に限らず、すべての創造的な労働を通じず思いつきの改動と取替は本発明の保護範囲にカバーされるべき。よって、本発明の保護範囲は権利要求書が限定された保護範囲を標準とすべきである。